(57)【特許請求の範囲】
【請求項１】
フロントカバーからのトルクをトルクコンバータのタービンを介してトランスミッション側の部材に伝達するためのトルクコンバータのロックアップ装置であって、
前記フロントカバーと前記タービンとの間に配置され、前記フロントカバーに連結されたクラッチ入力部材と、前記タービン側にトルクを出力するクラッチ出力部材と、前記クラッチ入力部材と前記クラッチ出力部材との間でトルク伝達を行うための複数のクラッチプレートと、前記複数のクラッチプレートを互いに押圧するためのピストンと、を有するクラッチ部と、
前記クラッチ部からのトルクを前記タービンに伝達するとともに、捩り振動を吸収・減衰するダンパ機構と、
を備え、
前記ダンパ機構は、
前記クラッチ出力部材に連結された入力側部材と、
前記タービンに接続された出力側部材と、
前記入力側部材と前記出力側部材とを回転方向に弾性的に連結する複数の弾性部材と、
前記入力側部材及び前記出力側部材と相対回転可能であり、前記複数の弾性部材のうちの少なくとも２つを直列に作用させるための中間部材と、
前記クラッチ出力部材に固定され、前記入力側部材との間に前記中間部材の一部を軸方向に挟むように配置された規制部材と、
を有し、
前記中間部材は、前記クラッチ出力部材によって径方向の移動が規制され、前記入力側部材と前記規制部材とによって軸方向の移動が規制されている、
トルクコンバータのロックアップ装置。
【請求項２】
前記中間部材は、環状に形成され、前記クラッチ出力部材の外周側に配置されており、
前記中間部材の内周面は前記クラッチ出力部材の外周面に当接可能である、
請求項１に記載のトルクコンバータのロックアップ装置。
【請求項３】
前記入力側部材は、内周部が前記クラッチ出力部の外周部において前記タービン側の側面に固定されており、
前記規制部材は、環状に形成され、内周部が前記クラッチ出力部の外周部において前記フロントカバー側の側面に固定されており、
前記中間部材は、前記入力側部材と前記規制部材の外周部とに当接可能である、
請求項２に記載のトルクコンバータのロックアップ装置。
【請求項４】
前記規制部材は、前記中間部材よりも薄いプレート部材により形成されている、請求項１から３のいずれかに記載のトルクコンバータのロックアップ装置。
【発明の詳細な説明】
【技術分野】
【０００１】
本発明は、ロックアップ装置、特に、フロントカバーからのトルクをトルクコンバータのタービンを介してトランスミッション側の部材に伝達するためのトルクコンバータのロックアップ装置に関する。
【背景技術】
【０００２】
トルクコンバータには、トルクをフロントカバーからタービンに直接伝達するためのロックアップ装置が設けられている場合が多い。このロックアップ装置は、フロントカバーに摩擦連結可能なピストンと、ピストンに固定されるドライブプレートと、ドライブプレートに支持される複数のトーションスプリングと、複数のトーションスプリングによってピストン及びドライブプレートに回転方向に弾性的に連結されるドリブンプレートとを有している。ドリブンプレートはタービンに固定されている。
【０００３】
また、特許文献１に示されるように、ロックアップ装置のクラッチ容量を大きくするために、複数のクラッチプレートを用いた、いわゆる多板型のロックアップ装置も提案されている。
【０００４】
ここで、ロックアップ装置によってトルクを伝達している場合、エンジンから入力されるトルク変動を効果的に吸収・減衰するためには、トーションスプリングの低剛性化・広捩じり角化が必要である。そこで、特許文献２に示されるように、ダンパ機構を構成する複数のトーションスプリングのうちの２つを、中間部材を介して直列に作用するようにした装置が提案されている。
【先行技術文献】
【特許文献】
【０００５】
【特許文献１】特開２０１０−４８２９１号公報
【特許文献２】特開２００２−８９６５７号公報
【発明の概要】
【発明が解決しようとする課題】
【０００６】
特許文献２に示される中間部材は、ダンパ機構における入力側及び出力側の部材のいずれにも相対回転可能である。そして、この中間部材は、特許文献２においては、ロックアップ装置を構成するピストンに固定された入力側プレートによって、軸方向及び径方向の移動が規制されている。
【０００７】
ここで、特に特許文献１に示されるような多板型のロックアップ装置では、ピストンとダンパ機構とが離れた配置される。このような構成のロックアップ装置では、ピストンとダンパ機構の入力側プレートによって中間部材を支持することができない。そして、多板型のロックアップ装置では、クラッチ部の軸方向スペースが大きくなるために、中間部材を支持し、その移動を規制するための機構について軸方向スペースを大きくとることができない。
【０００８】
本発明の課題は、特に、ピストンとダンパ機構とが離れた位置に配置されたロックアップ装置において、中間部材の移動を規制するための機構を省スペースで実現することにある。
【課題を解決するための手段】
【０００９】
第１発明に係るトルクコンバータのロックアップ装置は、フロントカバーからのトルクをトルクコンバータのタービンを介してトランスミッション側の部材に伝達するための装置であって、クラッチ部と、ダンパ機構と、を備えている。クラッチ部は、フロントカバーとタービンとの間に配置され、フロントカバーに連結されたクラッチ入力部材と、タービン側にトルクを出力するクラッチ出力部材と、クラッチ入力部材とクラッチ出力部材との間でトルク伝達を行うための複数のクラッチプレートと、複数のクラッチプレートを互いに押圧するためのピストンと、を有する。ダンパ機構は、クラッチ部からのトルクをタービンに伝達するとともに、捩り振動を吸収・減衰する。また、ダンパ機構は、クラッチ出力部材に連結された入力側部材と、タービンに接続された出力側部材と、入力側部材と出力側部材とを回転方向に弾性的に連結する複数の弾性部材と、中間部材と、規制部材と、を有している。中間部材は、入力側部材及び出力側部材と相対回転可能であり、複数の弾性部材のうちの少なくとも２つを直列に作用させる。規制部材は、クラッチ出力部材に固定され、入力側部材との間に中間部材の一部を軸方向に挟むように配置されている。そして、中間部材は、クラッチ出力部材によって径方向の移動が規制され、入力側部材と規制部材とによって軸方向の移動が規制されている。
【００１０】
この装置では、ロックアップ状態の場合は、フロントカバーからのトルクは、クラッチ部からダンパ機構に入力され、捩り振動が吸収・減衰されてタービンに出力される。ダンパ機構では、トルクは、入力側部材に入力され、複数の弾性部材及び出力側部材を介してタービンに出力される。このとき、複数の弾性部材のうちの少なくとも２つは、中間部材を介して直列に作用するので、ダンパ捩り角度を広くでき、低剛性化を実現できる。そして、中間部材は、クラッチ出力部材によって径方向の移動が規制され、入力側部材と規制部材とによって軸方向の移動が規制される。
【００１１】
ここでは、中間部材の軸方向及び径方向の移動を、クラッチ出力部材と、ダンパ機構の入力側部材及び規制部材によって規制するようにしたので、軸方向スペースを抑えることができる。したがって、クラッチ部のスペースが比較的大きい多板型のロックアップ装置に用いて有効である。
【００１２】
第２発明に係るトルクコンバータのロックアップ装置は、第１発明のロックアップ装置において、中間部材は、環状に形成され、クラッチ出力部材の外周側に配置されており、中間部材の内周面はクラッチ出力部材の外周面に当接可能である。
【００１３】
ここでは、中間部材の内周面がクラッチ出力部材の外周面に当接することによって、中間部材の径方向の移動が規制される。
【００１４】
第３発明に係るトルクコンバータのロックアップ装置は、第２発明のロックアップ装置において、入力側部材は、内周部がクラッチ出力部の外周部においてタービン側の側面に固定されている。また、規制部材は、環状に形成され、内周部がクラッチ出力部の外周部においてフロントカバー側の側面に固定されている。そして、中間部材は、入力側部材と規制部材の外周部とに当接可能である。
【００１５】
ここでは、中間部材は、入力側部材によってタービン側への移動が規制され、規制部材の外周部によってフロントカバー側への移動が規制される。
【００１６】
第４発明に係るトルクコンバータのロックアップ装置は、第１から第３発明のロックアップ装置において、規制部材は、中間部材よりも薄いプレート部材により形成されている。
【００１７】
ここでは、規制部材の厚みは中間部材よりも薄いので、軸方向スペースをより抑えることができる。
【発明の効果】
【００１８】
以上のように本発明では、ピストンとダンパ機構とが離れた位置に配置された多板型のクラッチ部を備えたロックアップ装置において、中間部材を規制するための機構を省スペースで実現することができる。
【図面の簡単な説明】
【００１９】
【図１】本発明の一実施形態によるロックアップ装置を備えたトルクコンバータの断面部分図。
【図２】図１に示されたトルクコンバータのロックアップ装置を示す図。
【図３】図２に示されたロックアップ装置のピストン及びそれを支持する構成を拡大して示す図。
【図４】図２に示されたロックアップ装置のダンパ機構を拡大して示す図。
【図５】ロックアップ装置のロックアップ解除時の作動油の流れを説明するための図。
【図６】トルクコンバータ本体への作動油の流れを説明するための図。
【図７】ロックアップ装置のロックアップ時の作動油の流れを説明するための図。
【図８】本発明の他の実施形態による動力伝達プレート支持部材を示す図。
【図９】本発明のさらに他の実施形態によるピストン及びそれを支持する構成を拡大して示す図。
【図１０】本発明のさらに他の実施形態によるピストン作動のための機構を示す図。
【発明を実施するための形態】
【００２０】
−第１実施形態−
［トルクコンバータの全体構成］
図１は本発明の一実施形態が採用されたトルクコンバータ１の縦断面図である。トルクコンバータ１は、エンジンのクランクシャフトからトランスミッションの入力シャフトにトルクを伝達するための装置である。図１の左側に図示しないエンジンが配置され、図１の右側に図示しないトランスミッションが配置されている。図１に示すＯ−Ｏがトルクコンバータ１の回転軸である。
【００２１】
トルクコンバータ１は、主に、フロントカバー２と、３種の羽根車（インペラ３，タービン４及びステータ５）からなるトルクコンバータ本体と、ロックアップ装置６と、を備えている。
【００２２】
［フロントカバー］
フロントカバー２は、円板状の部材であって、内周端にはセンターボス８が溶接により固定されている。センターボス８は、軸方向に延びる円筒形状の部材であり、クランクシャフト（図示せず）の中心孔内に挿入されるものである。
【００２３】
なお、図示していないが、フロントカバー２はフレキシブルプレートを介してエンジンのクランクシャフトに連結されるようになっている。すなわち、フロントカバー２の外周側かつエンジン側の面には、円周方向に等間隔で複数のボルト９が固定されており、このボルト９に螺合するナットによって、フレキシブルプレートの外周部がフロントカバー２に固定されている。
【００２４】
フロントカバー２の外周部には、軸方向トランスミッション側に延びる外周側筒状部２ａが形成されている。この外周側筒状部２ａの先端にインペラ３が溶接によって固定されている。この結果、フロントカバー２とインペラ３とによって、内部に作動油が充填される流体室が形成されている。
【００２５】
［インペラ］
インペラ３は、主に、インペラシェル１０と、その内側に固定された複数のインペラブレード１１と、から構成されている。そして、インペラシェル１０の外周側先端部が、前述のように、フロントカバー２に溶接されている。なお、インペラハブ１０の内周端部には、トランスミッション側に延びる筒状部が形成されている。
【００２６】
［タービン］
タービン４は流体室内でインペラ３に対して軸方向に対向して配置されている。タービン４は、主に、タービンシェル１４と、その内部に固定された複数のタービンブレード１５と、タービンシェル１４の内周端部に固定されたタービンハブ１６と、から構成されている。タービンシェル１４とタービンハブ１６とは複数のリベット１７によって固定されている。
【００２７】
タービンハブ１６は、タービンシェル１４の内周端部が固定された円板状のフランジ部１６ａと、フランジ部１６ａの内周部からフロントカバー２側に延びて形成された筒状部１６ｂと、を有している。そして、フランジ部１６ａの外周端部において、前述のように、リベット１７によってタービンシェル１４が固定されている。また、筒状部１６ｂの内周部にはスプライン孔１６ｃが形成されており、トランスミッションの入力シャフト１８の先端に形成されたスプライン軸と噛み合っている。
【００２８】
なお、タービンハブ１６の筒状部１６ｂの先端とフロントカバー２との間には、スラストワッシャ１９が配置されている。スラストワッシャ１９のタービンハブ１６側の面には、内周から外周に貫通する複数の放射状の溝が形成されている。この溝は、潤滑用の溝及び油路として機能するものである。
【００２９】
［ステータ］
ステータ５は、インペラ３の内周部とタービン４の内周部との間に配置され、タービン４からインペラ３に戻る作動油の流れを整流するための機構である。ステータ５は樹脂やアルミ合金等で鋳造により一体に形成されている。ステータ５は、主に、環状のステータシェル２０と、ステータシェル２０の外周面に設けられた複数のステータブレード２１と、を有している。ステータシェル２０は、ワンウェイクラッチ２２を介して固定シャフト２３に連結されている。
【００３０】
なお、ステータシェル２０のフロントカバー２側の面には、リベット１７と対向する位置に、環状の凹部２０ａが形成されている。この凹部２０ａはリベット１７の頭部との干渉を避けるために形成されたものである。これにより、タービンハブ１６のフランジ部１６ａとステータシェル２０とを軸方向に近づけることができ、軸方向寸法の短縮化を可能にしている。また、凹部２０ａの一部には、インペラ３側に凹む複数の凹部２０ｂが形成されている。これにより軽量化が図られている。
【００３１】
また、ステータシェル２０とインペラシェル１０との間、及びステータシェル２０とタービンハブ１６のフランジ部１６ａとの間には、それぞれスラストベアリングが配置されている。
【００３２】
［ロックアップ装置］
ロックアップ装置６は、フロントカバー２とタービン４との間に配置され、フロントカバー２からタービン４に動力を直接伝達するものである。このロックアップ装置６は、フロントカバー２とタービン４との間に配置されたクラッチ部２４と、クラッチ部２４からのトルクをタービンに伝達するダンパ機構２５と、を備えている。
【００３３】
＜クラッチ部＞
クラッチ部２４は、油圧作動式で複数のクラッチプレートを有する多板型であり、フロントカバー２からのトルクをダンパ機構２５に伝達し、あるいはフロントカバー２とダンパ機構２５との間のトルク伝達を遮断する。このクラッチ部２４は、図２に拡大して示すように、クラッチ入力部材２６と、クラッチ出力部材２７と、第１クラッチプレート２８及び第２クラッチプレート２９と、ピストン３０と、を有している。
【００３４】
クラッチ入力部材２６は、環状のプレート部材であり、フロントカバー２に固定されている。クラッチ入力部材２６の内周端部は、タービン４側に折り曲げられ、この折り曲げ部には円周方向に所定の間隔で複数の溝が形成されている。
【００３５】
クラッチ出力部材２７はクラッチ入力部材２６の径方向外方に配置されている。クラッチ出力部材２７は、環状に形成されており、円板状に形成された円板部２７ａと、円板部２７ａの内周端部からフロントカバー２側に延びて形成された筒状部２７ｂと、を有している。円板部２７ａはダンパ機構２５を構成する動力伝達プレート（後述）にリベット３２により固定されている。筒状部２７ｂには、軸方向に延びる複数の溝が円周方向に所定の間隔で形成されている。
【００３６】
第１クラッチプレート２８は円板状に形成されており、第１クラッチプレート２８の内周端には、クラッチ入力部材２６の折り曲げ部の複数の溝に係合する複数の歯が形成されている。このような構成により、第１クラッチプレート２８は、クラッチ入力部材２６に対して軸方向に移動自在かつ相対回転不能である。
【００３７】
第２クラッチプレート２９は、第１クラッチプレート２８に隣接し、第１クラッチプレート２８とクラッチ入力部材２６との間に配置されている。第２クラッチプレート２９は、円板状に形成されており、第２クラッチプレート２９の外周端には、クラッチ出力部材２７の筒状部２７ｂの複数の溝に係合する複数の歯が形成されている。このような構成により、第２クラッチプレート２９は、クラッチ出力部材２７に対して軸方向に移動自在かつ相対回転不能である。また、第２クラッチプレート２９の両面には、環状の摩擦部材が固定されている。
【００３８】
ピストン３０は、フロントカバー２とタービン４の内周部との間で、クラッチ出力部材２７の径方向内方に配置されている。ピストン３０は、環状に形成されており、円板状の受圧部３０ａと、受圧部３０ａの外周部に形成された押圧部３０ｂと、を有している。受圧部３０ａは、フロントカバー２側の面及びタービン４側の面に作用する油圧によって、軸方向に移動する。押圧部３０ｂは、受圧部３０ａを境にフロントカバー２側及びタービン４側に延びている。この押圧部３０ｂは、タービンフロントカバー２側に移動して、クラッチ入力部材２６との間に、第１クラッチプレート２８及び第２クラッチプレート２９を押圧する。
【００３９】
ピストン３０は、ピストン支持機構３４によって軸方向に移動自在に支持されている。ピストン支持機構３４は、支持用ボス３５と、それぞれ円板状の第１フランジ３６及び第２フランジ３７と、を有している。後述するように、第１フランジ３６はロックアップ解除用油室を構成するプレート部材である。また、第２フランジ３７はロックアップ用油室を構成するプレート部材である。
【００４０】
支持用ボス３５は、環状に形成され、内部にタービンハブ１６の筒状部１６ｂが挿入されている。また、支持用ボス３５のフロントカバー２側の面の内周部がフロントカバー２に溶接により固定されている。支持用ボス３５の外周面には、第１シール部材３８及び第２シール部材３９が設けられている。そして、ピストン３０の内周面が第２シール部材３９に摺動自在に接触している。また、支持用ボス３５の外周面において、タービン４側には他の部分より小径の小径部３５ａが形成されている。この小径部３５ａは支持用ボス３５のタービン４側の側面よりさらにタービン側に突出しており、突出部３５ｂが形成されている（図では、突出部３５ｂが外方に折り曲げられた状態を示している）。
【００４１】
第１フランジ３６は、ピストン３０の受圧部３０ａのフロントカバー２側に配置され、フロントカバー２に形成された突起部をかしめることによってフロントカバー２に固定されている。なお、第１フランジ３６とフロントカバー２との間には、両者を固定する部分を除いて、作動油を流通させるための隙間が設けられている。第１フランジ３６の外周面には第３シール部材４０が設けられ、第３シール部材４０はピストン３０の押圧部３０ｂの内周面に接触している。また、第１フランジ３６の内周面は支持用ボス３５の外周面に設けられた第１シール部材３８に接触している。
【００４２】
第２フランジ３７はピストン３０の受圧部３０ａのタービン４側に配置されている。第２フランジ３７の外周面には第４シール部材４１が設けられ、第４シール部材４１はピストン３０の押圧部３０ｂの内周面に接触している。また、第２フランジ３７の内周面は支持用ボス３５の小径部３５ａに圧入され、突出部３５ｂを外方にローリング加工によって折り曲げることによってかしめ固定されている。
【００４３】
＜ピストンを移動させるための構造＞
以上のようなピストン支持機構３４によって、図２及び図２の拡大部分図である図３に示すように、受圧部３０ａと第１フランジ３６との間にはロックアップ解除用油室４５が構成され、受圧部３０ａと第２フランジ３７との間にはロックアップ用油室４６が構成されている。これらの両油室４５，４６は内外径が等しい。
【００４４】
タービンハブ１６の筒状部１６ｂには、径方向に貫通する複数の第１油路５１が形成されている。また、支持用ボス３５には、複数の第２油路５２と、複数の第３油路５３と、複数の第４油路５４と、が形成されている。第２油路５２は、支持用ボス３５を径方向に貫通して形成されており、支持用ボス３５の内周側とロックアップ解除用油室４５とを連通している。第３油路５３は、支持用ボス３５を径方向に貫通して形成されており、支持用ボス３５の内周面とロックアップ用油室４６とを連通している。第４油路５４は、支持用ボス３５を軸方向に貫通して形成されており、支持用ボス３５のタービン４側の空間とフロントカバー２側の空間とを連通している。
【００４５】
タービンハブ１６の筒状部１６ｂの内周面には環状の溝１６ｄが形成され、また筒状部１６ｂの先端外周には環状の凹部１６ｅが形成されている。第１油路５１の内周側の開口は溝１６ｄの底面に位置している。また、第２油路５２の内周側の開口は、凹部１６ｅに対向する位置に形成されている。
【００４６】
支持用ボス３５の内周面には環状の溝３５ｃが形成されている。第３油路５３の内周側の開口は、この溝３５ｃの底面に位置している。さらに、支持用ボス３５のタービン４側の面において、内周端部には、フロントカバー２側に凹む環状の凹部３５ｄが形成されている。この凹部３５ｄは油溜まりとして機能する。
【００４７】
第４油路５４は、タービン４側の開口が凹部３５ｄに位置し、フロントカバー２側の開口がフロントカバー２と支持用ボス３５の端面との間の空間に位置している。なお、タービンハブ１６のフランジ部１６ａの内周端部には、軸方向に貫通する複数の貫通孔５５が形成されている。複数の貫通孔５５は支持用ボス３５の凹部３５ｄに対向している。
【００４８】
タービンハブ１６の筒状部１６ｂの内周部には、カラー５６が圧入されている。カラー５６には径方向に貫通する複数の貫通孔５７が形成されており、カラー５６の内周面には環状の溝５６ａが形成されている。カラー５６の貫通孔５７の外周側の開口は、タービンハブ１６の筒状部１６ｂの内面に形成された溝１６ｄに対向している。
【００４９】
＜ダンパ機構＞
ダンパ機構２５は、図４に示すように、クラッチ出力部材２７が固定された動力伝達プレート（入力側部材）６１と、タービンシェル１４に固定された出力プレート（出力側部材）６２と、複数のトーションスプリング６３と、中間部材６４と、規制プレート６５と、を有している。なお、図４は、ロックアップ装置６のうちのダンパ機構２５及びそれに関連する構成のみを抽出して示したものである。
【００５０】
動力伝達プレート６１は、環状に形成されており、円板部６１ａと、円板部６１ａの外周端に形成された係合部６１ｂと、円板部６１ａの内周端にフロントカバー２側に延びて形成された内周筒状部６１ｃと、を有している。円板部６１ａには、前述のように、クラッチ出力部材２７がリベット３２により固定されている。係合部６１ｂは、トーションスプリング６３の周方向の端面に係合している。
【００５１】
出力プレート６２は、直列に作用する１組（この実施形態では２個）のトーションスプリング６３の周方向両端に係合する。これにより、動力伝達プレート６１から入力されたトルクがトーションスプリング６３を介して出力プレート６２に伝達され、さらにタービン４に伝達される。
【００５２】
中間部材６４は、複数のトーションスプリング６３のうちの１組（２個）のトーションスプリングを直列に作用させるための部材である。中間部材６４は、環状であり、断面は逆Ｌ字状に形成されている。中間部材６４は、クラッチ入力部材２７の外周側に配置されており、内周端部６４ａと、横支持部６４ｂと、外支持部６４ｃと、を有している。
【００５３】
内周端部６４ａは動力伝達プレート６１の円板部６１ａに沿って内周側に延びている。内周端部６４ａの内周面は、クラッチ出力部材２７の外周面に当接可能であり、これにより、中間部材６４は径方向に位置決めされている。また、内周端部６４ａのタービン４側の面は動力伝達プレート６１の円板部６１ａに当接可能である。これにより、中間部材６４のタービン４側への移動が規制されている。横支持部６４ｂは、内周端部６４ａから外周側に延び、トーションスプリング６３のフロントカバー２側の側部を支持している。また、この横支持部６４ｂから、１組のトーションスプリング６３の端面を支持する爪（図示せず）が、タービン４側に延びて形成されている。外支持部６４ｃは横支持部６４ｂの外周端からタービン４側に延び、トーションスプリング６３の外周部を支持している。
【００５４】
規制プレート６５は、中間部材６４より板厚の薄いプレートにより形成されている。規制プレート６５は、環状に形成されており、固定部６５ａと、軸方向規制部６５ｂと、を有している。
【００５５】
固定部６５ａは、円板状に形成されており、リベット３２によりクラッチ出力部材２７及び動力伝達プレート６１に固定されている。軸方向規制部６５ｂは、固定部６５ａから外周に延びて形成されており、中間部材６４の横支持部６４ｂのフロントカバー２側の面に当接可能である。これにより、中間部材６４のフロントカバー２側への移動が規制されている。
【００５６】
以上のような構成により、中間部材６４は、クラッチ出力部材２７の外周面によって径方向に位置決めされている。また、中間部材６４は、動力伝達プレート６１と規制プレート６５によって軸方向に位置決めされている。
【００５７】
＜動力伝達プレートの位置決め構造＞
図４に示すように、動力伝達プレート６１の内周側には、動力伝達プレート支持部材６８が設けられている。動力伝達プレート支持部材６８は、環状に形成され、固定部６８ａと、軸方向第１規制部６８ｂと、径方向規制部６８ｃと、軸方向第２規制部６８ｄと、を有している。この動力伝達プレート支持部材６８は、タービン４の作動油の出口部の最内周部（図４のPで示す位置）より外周側に配置されている。
【００５８】
固定部６８ａは、ピストン３０の受圧部３０ａより外周側においてタービンシェル１４に固定されている。軸方向第１規制部６８ｂは固定部６８ａの一部を外周側に延長して形成されている。軸方向第１規制部６８ｂは動力伝達プレート６１の円板部６１ａのタービン４側の面に当接可能である。径方向規制部６８ｃは、固定部６８ａの軸方向第１規制部６８ｂが形成されていない部分をフロントカバー２側に折り曲げて形成されている。径方向規制部６８ｃは動力伝達プレート６１の内周筒状部６１ｃの内周面に当接可能である。軸方向第２規制部６８ｄは径方向規制部６８ｃの先端に外周側に突出して形成された突起部である。軸方向第２規制部６８ｄは内周筒状部６１ｃの先端に当接可能である。
【００５９】
以上のような構成により、動力伝達プレート６１及びクラッチ出力部材２７は、動力伝達プレート支持部材６８によって、径方向及び軸方向に位置決めされている。
【００６０】
［動作］
ロックアップ装置６において、ロックアップを解除する場合には、第２油室４６はドレンに接続されるとともに、図５に示すように、図示しないコントロールバルブからタービンハブ１６の前端部とフロントカバー２との間に作動油が供給される。この作動油は、スラストワッシャ１９に形成された溝及びタービンハブ１６の先端部外周に形成された凹部１６ｅを経由し、さらに支持用ボス３５の第２油路５２を経由してロックアップ解除用油室４５に供給される。これにより、ピストン３０はタービン４側に移動し、ピストン３０の押圧部３０ｂは第１クラッチプレート２８及び第２クラッチプレート２９から離れる。
【００６１】
また、トランスミッションの入力シャフト１８と固定シャフト２３との間からトルクコンバータ作動用の油が供給される。この作動油は、図６に示すように、タービンハブ４の貫通孔５５及び第４油路５４を経由して支持用ボス３５とフロントカバー２との間に導かれる。
【００６２】
なお、貫通孔５５と第４油路５４との間には凹部３５ｄが形成されているので、貫通孔５５から支持用ボス３５側に供給された作動油はいったん凹部３５ｄに留まり、その後第４油路５４側に導かれる。したがって、貫通孔５５と第４油路５４とが軸方向に一致していない場合であっても、これらの油路５５，５４間を作動油はスムーズに流れることになる。
【００６３】
支持用ボス３５とフロントカバー２との間に供給された作動油は、フロントカバー２と第１フランジ３６との間に形成された隙間を通って外周側に導かれ、さらに第１クラッチプレート２８、第２クラッチプレート２９、ピストン３０のそれぞれの間を通ってフロントカバー２の外周端部に導かれる。その後、トルクコンバータ本体に供給される。また、トルクコンバータ本体内の作動油は、ステータシェル２０とインペラシェル１０との間の油路を介して図示しないコントロールバルブに流れる。
【００６４】
以上のような状態では、フロントカバー２からのトルクは、作動油を介してインペラ２からタービン４に伝達され、さらにトランスミッションの入力シャフト１８に伝達される。
【００６５】
一方、ロックアップ装置において、ロックアップ状態（動力伝達状態）にする場合は、ロックアップ解除用油室４５をドレンに接続するとともに、図７に示すように、入力シャフト１８の内部を通ってカラー５６の内周部に作動油が供給される。この作動油は、カラー５６の貫通孔５７、第１油路５１、第３油路５３の経路でロックアップ用油室４６に供給される。これにより、ピストン３０はフロントカバー２側に移動し、第１クラッチプレート２８及び第２クラッチプレート２９が互いに押圧される。
【００６６】
以上のような状態では、フロントカバー２からのトルクは、クラッチ入力部材２６→第１クラッチプレート２８及び第２クラッチプレート２９→クラッチ出力部材２７の経路を介してダンパ機構２５に伝達される。
【００６７】
ダンパ機構２５においては、クラッチ部２４から動力伝達プレート６１に入力されたトルクは、トーションスプリング６３及び出力プレート６２を介してタービン４に伝達され、さらにタービンハブ１６を介してトランスミッションの入力シャフト１８に伝達される。
【００６８】
以上のようなロックアップ装置６において、動力伝達プレート６１は動力伝達プレート支持部材６８によって径方向及び軸方向に位置決めされる。また、中間部材６４はクラッチ出力部材２７によって位置決めされて径方向の移動が規制され、また規制部材６５及び動力伝達プレート６１によって位置決めされて軸方向の移動が規制される。
【００６９】
［特徴］
（１）動力伝達プレート６１を、１つの動力伝達プレート支持部材６８によって径方向及び軸方向に位置決めでき、構成が簡単になる。
【００７０】
（２）動力伝達プレート支持部材６８はタービンシェル１４に固定されているので、タービン内周部とフロントカバー２との間に他の部材を配置するスペースを確保できる。本実施形態では、このスペースにロックアップ装置のピストン３０及び油室を構成するための部材を配置しているので、装置全体の軸方向寸法を短縮できる。
【００７１】
（３）クラッチ部２４のクラッチ入力部材２６をフロントカバーに固定するとともに、ピストン３０をタービン４側からフロントカバー２側に向けて移動させ、ロックアップ状態にするので、ピストンをフロントカバー側に設けてタービン側に移動させてロックアップ状態にする場合に比較して、軸方向寸法を短縮できる。
【００７２】
（４）クラッチ出力部材２７によって中間部材６４の径方向の移動を規制しているので、ロックアップ装置６の占めるスペースを小さくすることができる。また、厚みの比較的薄い規制部材６５と動力伝達プレート６１によって中間部材６４の軸方向の移動を規制しているので、さらに軸方向の省スペース化を図ることができる。特に多板型のクラッチ部では、軸方向スペースが長くなるので、本実施形態の構成を用いることによって軸方向スペースを抑えることができる。
【００７３】
（５）ピストン３０を、ロックアップ解除用油室４５及びロックアップ用油室４６に作動油を供給することによって移動させ、ロックアップ状態とロックアップ解除状態を切り替えている。このため、切替時の応答性が良好になる。また、ロックアップ解除時のドラグトルクを抑えることができる。
【００７４】
（６）ロックアップ用油室４６が他の作動油回路と独立して設けられているために、トルクコンバータ本体に供給される作動油を利用してロックアップ状態にする場合に比較して、安定したロックアップトルク容量を得ることができる。
【００７５】
（７）ロックアップ解除用油室４５とロックアップ用油室４６の内外径が同じであるために、いずれの油室にも作動油が供給されていないときに、遠心力によって両油室４５，４６に発生する油圧が同じになる。したがって、ピストン３０を中立位置に保つことができる。
【００７６】
−第２実施形態−
図８に動力伝達プレート支持部材の他の実施形態を示す。この動力伝達プレート支持部材７０は第１プレート７１及び第２プレート７２から構成されている。
【００７７】
第１プレート７１は、環状に形成されており、固定部７１ａ、軸方向第１規制部７１ｂ、及び径方向規制部７１ｃ、及び第２プレート支持部７１ｄから構成されている。固定部７１ａ、軸方向第１規制部７１ｂ、及び径方向規制部７１ｃについては、第１実施形態の動力伝達プレート支持部材６８における固定部６８ａ、軸方向第１規制部６８ｂ、及び径方向規制部６８ｃと同じ構成である。第２プレート支持部７１ｄは、径方向規制部７１ｃを内周側に折り曲げて形成されている。
【００７８】
第２プレート７２は円板状に形成されており、その内周側部分が第１プレート７１の第２プレート支持部７１ｄにスポット溶接等により固定されている。また、第２プレート７２の外周側部分は、第１プレート７１の径方向規制部７１ｃからさらに外周に突出するように配置されている。そして、この第２プレート７２に、動力伝達プレート６１の筒状部６１ｃの先端が当接可能になっている。すなわち、第２プレート７２は第２軸方向規制部として機能している。
【００７９】
以上のような構成により、動力伝達プレート６１及びクラッチ出力部材２７は、動力伝達プレート支持部材７０を構成する第１及び第２プレート７１，７２によって、径方向及び軸方向に位置決めされている。
【００８０】
−第３実施形態−
図９に、ピストンを移動させるための機構について、別の実施形態を示す。この実施形態では、タービンハブ１６’の筒状部１６ｂ’の外周面に、ピストン支持部材７５が設けられている。
【００８１】
ピストン支持部材７５は、フロントカバー２とタービン４との間に配置されており、ロックアップ用油室を構成するプレートとして機能する円板部７５ａと、筒状部７５ｂと、から構成されている。円板部７５ａは外周部が第１クラッチプレート２８及び第２クラッチプレート２９に達する程度に延びている。筒状部７５ｂは円板部７５ａの内周端部からフロントカバー２側に延びている。筒状部７５ｂの内部にはタービンハブ１６’の筒状部１６ｂ’が挿入されている。そして、筒状部７５ｂの先端はフロントカバー２に溶接等により固定されている。
【００８２】
ピストン３０’は、ピストン支持部材７５の円板部７５ａとフロントカバー２との間に配置されている。ピストン３０’は、円板状の受圧部３０ａ’と、押圧部３０ｂ’とを有している。受圧部３０ａ’の内周面はピストン支持部材７５の筒状部７５ｂの外周面に摺動自在に支持されている。押圧部３０ｂ’は受圧部３０ａ’の外周部に形成されており、第１クラッチプレート２８及び第２クラッチプレート２９を押圧可能である。
【００８３】
ピストン支持部材７５の筒状部７５ｂには、第１油路７６と第２油路７７とが形成されている。第１油路７６は、ピストン３０’のフロントカバー２側の空間とピストン支持部材７５のタービン４側の空間とを連通するように形成されている。また、タービンフランジ１６’には、ピストン３０’とタービン４との間の空間に、コントロールバルブからの作動油を供給するための貫通孔５５’が形成されている。第２油路７７は、タービンハブ１６’の筒状部１６ｂ’に形成された油路（図示せず）と、ピストン３０’とピストン支持部材７５の受圧部７５ａとの間の空間（ロックアップ用油室）７８と、を連通するように形成されている。
【００８４】
この実施形態では、ロックアップ装置６において、ロックアップ解除時には、ロックアップ用油室７８はドレンに接続され、コントロールバルブからの作動油が、貫通孔５５’及び第２油路７７を経由してピストン３０’のフロントカバー２側の空間に供給される。
【００８５】
これにより、ピストン３０’はタービン４側に移動し、ピストン３０’の押圧部３０ｂ’は第１クラッチプレート２８及び第２クラッチプレート２９から離れる。なお、ピストン３０’のフロントカバー２側の空間に供給された作動油は、先の実施形態と同様にフロントカバー２の外周端部に導かれ、その後トルクコンバータ本体内に供給される。
【００８６】
以上のような状態では、フロントカバー２からのトルクは、作動油を介してインペラ２からタービン４に伝達され、さらにトランスミッションの入力シャフト１８に伝達される。
【００８７】
一方、ロックアップ状態にする場合は、タービンハブ１６’の筒状部１６ｂ’に形成された油路及び第２油路７７を経由して、ロックアップ用油室７８に作動油が供給される。
【００８８】
これにより、ピストン３０’はフロントカバー２側に移動し、第１クラッチプレート２８及び第２クラッチプレート２９が互いに押圧される。
【００８９】
以上のような状態では、フロントカバー２からのトルクは、クラッチ入力部材２６、第１クラッチプレート２８及び第２クラッチプレート２９、クラッチ出力部材２７の経路を介してダンパ機構２５に伝達される。
【００９０】
−第４実施形態−
図１０にさらに他の実施形態を示す。ここでは、第１実施形態のロックアップ解除用油室４５に、コーンスプリング８０が配置されている。他の構成は第１実施形態と同様である。
【００９１】
コーンスプリング８０は、ピストン３０をタービン４側に付勢するように設けられている。この場合は、ロックアップ解除状態にする場合に、低い油圧をロックアップ解除用油室４５に供給するだけで、ロックアップを解除することができる。また、コーンスプリング８０の荷重設定によっては、ロックアップ解除用の作動油の供給が不要になる。
【００９２】
［他の実施形態］
本発明は以上のような実施形態に限定されるものではなく、本発明の範囲を逸脱することなく種々の変形又は修正が可能である。
【符号の説明】
【００９３】
１  トルクコンバータ
２  フロントカバー
４  タービン
６  ロックアップ装置
２４  クラッチ部
２５  ダンパ機構
２６  クラッチ入力部材
２７  クラッチ出力部材
２８  ドライブプレート
２９  ドリブンプレート
３０，３０’  ピストン
６１  動力伝達プレート（入力側部材）
６２  出力プレート（出力側部材）
６３  トーションスプリング（弾性部材）
６４  中間部材
６５  規制部材
６５ｂ  軸方向規制部
【要約】
【課題】ピストンとダンパ機構とが離れた位置に配置されたロックアップ装置において、中間部材の移動を規制するための機構を省スペースで実現する。
【解決手段】このロックアップ装置は、クラッチ部２４と、ダンパ機構２５と、を備えている。ダンパ機構２５は、入力プレート６１と、出力プレート６２と、複数のトーションスプリング２３と、中間部材６４と、規制部材６５と、を有している。中間部材６４は、複数のトーションスプリング６３のうちの少なくとも２つを直列に作用させる。規制部材６５は、クラッチ部２４のクラッチ出力部材２７に固定され、入力プレート６１との間に中間部材６４の一部を軸方向に挟むように配置されている。そして、中間部材６４は、クラッチ出力部材２７によって径方向の移動が規制され、入力プレート６１と規制部材６５とによって軸方向の移動が規制されている。
【選択図】図４【図１】
0005202719.tif 000002
【図２】
0005202719.tif 000003
【図３】
0005202719.tif 000004
【図４】
0005202719.tif 000005
【図５】
0005202719.tif 000006
【図６】
0005202719.tif 000007
【図７】
0005202719.tif 000008
【図８】
0005202719.tif 000009
【図９】
0005202719.tif 000010
【図１０】
0005202719.tif 000011